【手続補正書】
【提出日】平成22年5月13日(2010.5.13)
【手続補正１】
【補正対象書類名】特許請求の範囲
【補正対象項目名】全文
【補正方法】変更
【補正の内容】
【特許請求の範囲】
【請求項１】
装着者の頭部の左右こめかみ部分に近い毛髪を挟持し該頭部の左右両側に取り外し可能に止着される左右一対のクリップと、該頭部の後頭部に沿って装着され、前記頭部の左右両側に止着された前記一対のクリップ同士を互いに後頭部側に引き寄せた状態で保持する紐とから構成される顔のしわ矯正具であって、
前記左右一対のクリップはそれぞれ板バネである第１板バネ部材及び当該第１板バネ部材と一体化されている第２板バネ部材とからなり、
前記第１板バネ部材は、第１板バネ部材の第一の本体部の基端と、第１板バネ部材の第二の本体部の基端とが直交し、正面視で略Ｌ字状になるように形成されている第１板バネ部材の本体部を備えており、
前記第２板バネ部材は、第２板バネ部材の第一の本体部の基端と、第２板バネ部材の第二の本体部の基端とが直交し、正面視で略Ｌ字状になるように形成されている第２板バネ部材の本体部を備えており、
前記第１板バネ部材の第一の本体部と、前記第２板バネ部材の第一の本体部とがそれぞれ左右方向に延び、前記第１板バネ部材の第二の本体部と、前記第２板バネ部材の第二の本体部とがそれぞれ当該左右方向に直交する方向に延びる状態で、前記第１板バネ部材の第二の本体部の先端の裏側面と前記第２板バネ部材の第一の本体部の先端の正面側面、前記第１板バネ部材の第一の本体部の先端の裏側面と前記第２板バネ部材の第二の本体部の先端の正面側面をそれぞれ接合することによって前記第１板バネ部材と前記第２板バネ部材とが一体化されており、
前記第１板バネ部材は、前記第１板バネ部材の第一の本体部側を基端とし、先端が前記第１板バネ部材の第一の本体部から第２板バネ部材の第一の本体部側に向かって延びる複数本の櫛歯を更に備えており、当該櫛歯の先端部は、第２板バネ部材の第一の本体部から離れる正面側方向に向かって段差を設けて途中から折り曲げられ、クリップ部として構成され、
前記第２板バネ部材の第一の本体部は、前記第１板バネ部材のクリップ部の正面側において前記第１板バネ部材のクリップ部を左右に横切る形で配設され、
非クリップ状態では、前記第１板バネ部材の第一の本体部と、前記第２板バネ部材の第一の本体部とがそれぞれ裏面側方向に向かって膨出するように湾曲し、前記第１板バネ部材の櫛歯先端部のクリップ部裏側面と、前記第２板バネ部材の第一の本体部の正面側面との間が所定間隔離れた状態で対峙し、
前記左右一対のクリップの前記裏面側方向に向かって膨出するように湾曲している前記第１板バネ部材の第一の本体部及び前記第２板バネ部材の第一の本体部の中央部の裏面側を装着者の頭に当て、前記第１板バネ部材の第二の本体部及び前記第２板バネ部材の第二の本体部を前記装着者の頭の方向に向かって押すことによりクリップ状態となり、前記第１板バネ部材の第一の本体部及び前記第２板バネ部材の第一の本体部の各中央部が正面側方向に向けて膨出するように反転変形し、前記第１板バネ部材の櫛歯先端部のクリップ部と前記第２板バネ部材の第一の本体部との間に前記装着者の毛髪がクリップされ、これによって前記左右一対のクリップが前記装着者の毛髪に止着される
ことを特徴とする顔のしわ矯正具。
【請求項２】
上記紐の途中に、該紐の長さを調整可能にする調整部材を設けたことを特徴とする請求項１記載の顔のしわ矯正具。
【請求項３】
上記紐を弾性伸縮可能な部材で形成したことを特徴とする請求項１または２記載の顔のしわ矯正具。
【請求項４】
上記紐を、互いに間隔を開けて配置される上下２本の紐部で構成したことを特徴とする請求項１，２または３記載の顔のしわ矯正具。
【請求項５】
前記左右一対のクリップの
前記第１板バネ部材の第二の本体部の先端の裏側面と前記第２板バネ部材の第一の本体部の先端の正面側面とが接合されている箇所、
前記第１板バネ部材の第一の本体部の基端と第二の本体部の基端とが直交している箇所、
前記第１板バネ部材の第一の本体部の先端の裏側面と前記第２板バネ部材の第二の本体部の先端の正面側面とが接合されている箇所、及び  
前記第２板バネ部材の第一の本体部の基端と第二の本体部の基端とが直交している箇所にそれぞれ表裏方向に貫通する孔が一個形成されており、
前記上下２本の紐は前記左右一対のクリップにおける前記４個の孔をそれぞれ順に通って、前記頭部の左右両側に止着された前記左右一対のクリップ同士を互いに後頭部側に引き寄せた状態で保持する
ことを特徴とする請求項４記載の顔のしわ矯正具。
【手続補正２】
【補正対象書類名】明細書
【補正対象項目名】全文
【補正方法】変更
【補正の内容】
【発明の詳細な説明】
【発明の名称】顔のしわ矯正具
【技術分野】
【０００１】
本発明は顔のしわ矯正具に関するものであり、特に、顔の目尻や目隈、口角のまわり等におけるしわを無くして、若さとハリを取り戻した顔に見せることができるようにした顔のしわ矯正具に関するものである。
【背景技術】
【０００２】
年齢を重ねると、皮膚のはりや弾力を失い、結果として小じわが増え、特に、目尻や目隈、口角のまわり等に"しわ"ができ、顔全体に弛みが発生する。これは若さとハリをなくし、特に、中高年の女性にとって重大なことである。
【０００３】
そこで、従来、顔のしわを減少させる方法として、外科的な整形治療法で顔の皮膚を引っ張り上げる方法や、皮膚にレーザーエネルギーを照射して細胞を活性化させ、しわを無くする器具(例えば、特許文献１参照)等が知られている。
【特許文献１】特開２００６−２５８０８号公報。
【発明の開示】
【発明が解決しようとする課題】
【０００４】
しかしながら、外科的な整形治療法の場合では、人体にメス等を入れるために、治療を受けるには不安で抵抗がある。一方、皮膚にレーザーエネルギーを照射し細胞を活性化させてしわを無くする器具を用いる場合でも、レーザーエネルギーを照射するので危険ではないかという不安が湧き、使用するのに抵抗がある。また、外科的な整形治療法、及び、レーザーエネルギーを照射する器具の何れを採用した場合でも、高額な費用が必要になるという問題があった。
【０００５】
そこで、高額な費用を必要とせずに、個人において手軽で、かつ、簡単に小顔にでき、また、目尻や目隈、口角付近等におけるしわを矯正して、ハリを取り戻した顔に若返らせることができるようにするために解決すべき技術的課題が生じてくるのであり、本発明はこの課題を解決することを目的とする。
【課題を解決するための手段】
【０００６】
本発明は上記目的を達成するために提案されたものであり、請求項１記載の発明は、装着者の頭部の左右こめかみ部分に近い毛髪を挟持し該頭部の左右両側に取り外し可能に止着される左右一対のクリップと、該頭部の後頭部に沿って装着され、前記頭部の左右両側に止着された前記一対のクリップ同士を互いに後頭部側に引き寄せた状態で保持する紐とから構成される顔のしわ矯正具であって、
前記左右一対のクリップはそれぞれ板バネである第１板バネ部材及び当該第１板バネ部材と一体化されている第２板バネ部材とからなり、
前記第１板バネ部材は、第１板バネ部材の第一の本体部の基端と、第１板バネ部材の第二の本体部の基端とが直交し、正面視で略Ｌ字状になるように形成されている第１板バネ部材の本体部を備えており、
前記第２板バネ部材は、第２板バネ部材の第一の本体部の基端と、第２板バネ部材の第二の本体部の基端とが直交し、正面視で略Ｌ字状になるように形成されている第２板バネ部材の本体部を備えており、
前記第１板バネ部材の第一の本体部と、前記第２板バネ部材の第一の本体部とがそれぞれ左右方向に延び、前記第１板バネ部材の第二の本体部と、前記第２板バネ部材の第二の本体部とがそれぞれ当該左右方向に直交する方向に延びる状態で、前記第１板バネ部材の第二の本体部の先端の裏側面と前記第２板バネ部材の第一の本体部の先端の正面側面、前記第１板バネ部材の第一の本体部の先端の裏側面と前記第２板バネ部材の第二の本体部の先端の正面側面をそれぞれ接合することによって前記第１板バネ部材と前記第２板バネ部材とが一体化されており、
前記第１板バネ部材は、前記第１板バネ部材の第一の本体部側を基端とし、先端が前記第１板バネ部材の第一の本体部から第２板バネ部材の第一の本体部側に向かって延びる複数本の櫛歯を更に備えており、当該櫛歯の先端部は、第２板バネ部材の第一の本体部から離れる正面側方向に向かって段差を設けて途中から折り曲げられ、クリップ部として構成され、
前記第２板バネ部材の第一の本体部は、前記第１板バネ部材のクリップ部の正面側において前記第１板バネ部材のクリップ部を左右に横切る形で配設され、
非クリップ状態では、前記第１板バネ部材の第一の本体部と、前記第２板バネ部材の第一の本体部とがそれぞれ裏面側方向に向かって膨出するように湾曲し、前記第１板バネ部材の櫛歯先端部のクリップ部裏側面と、前記第２板バネ部材の第一の本体部の正面側面との間が所定間隔離れた状態で対峙し、
前記左右一対のクリップの前記裏面側方向に向かって膨出するように湾曲している前記第１板バネ部材の第一の本体部及び前記第２板バネ部材の第一の本体部の中央部の裏面側を装着者の頭に当て、前記第１板バネ部材の第二の本体部及び前記第２板バネ部材の第二の本体部を前記装着者の頭の方向に向かって押すことによりクリップ状態となり、前記第１板バネ部材の第一の本体部及び前記第２板バネ部材の第一の本体部の各中央部が正面側方向に向けて膨出するように反転変形し、前記第１板バネ部材の櫛歯先端部のクリップ部と前記第２板バネ部材の第一の本体部との間に前記装着者の毛髪がクリップされ、これによって前記左右一対のクリップが前記装着者の毛髪に止着される
ことを特徴とする顔のしわ矯正具を提供する。
【０００７】
この構成によれば、板バネにて略Ｌ字形に形成され、相互に各両端部を結合して一体化された第１板バネ部材と第２板バネ部材は、第１板バネ部材の第一の本体部と第２板バネ部材の第一の本体部とが夫々裏面側に向かって膨出するように湾曲した状態にすることにより櫛歯の先端部のクリツプと第２板バネ部材の第一の本体部との間を所定間隔離れた状態に形成することにより、毛髪に対して非クリップ状態にし、この非クリップ状態で装着者の頭に当て、第１板バネ部材の第二の本体部及び第２板バネ部材の第二の本体部を前記装着者の頭の方向へ向かって押すことによりクリツプ状態とし、装着者の毛髪が止着される。
【０００８】
請求項２記載の発明は、上記紐の途中に、該紐の長さを調整する調整部材を設けた顔のしわ矯正具を提供する。
【０００９】
この構成によれば、調整部材を利用して紐の長さを各人に合った長さに簡単に調整することができる。また、紐の長さを調整することにより、１対のクリップ同士の引き寄せ力
も調整できる。
【００１０】
請求項３記載の発明は、上記紐を弾性伸縮可能な部材で形成した顔のしわ矯正具を提供する。
【００１１】
この構成によれば、紐により１対のクリップ同士を互いに後頭部側に引き寄せたとき、紐の弾性伸縮力が付加された状態で１対のクリップ間に引き寄せ力が付与される。ここでの弾性伸縮可能な部材としては、例えばゴム紐等がある。
【００１２】
請求項４記載の発明は、上記紐を、互いに間隔を開けて配置される上下２本の紐で構成した顔のしわ矯正具を提供する。
【００１３】
この構成によれば、左右１対のクリップを上下２本の紐で平行に引き寄せることができる。
【００１４】
請求項５記載の発明は、前記左右一対のクリップの  前記第１板バネ部材の第二の本体部の先端の裏側面と前記第２板バネ部材の第一の本体部の先端の正面側面とが接合されている箇所、前記第１板バネ部材の第一の本体部の基端と第二の本体部の基端とが直交している箇所、前記第１板バネ部材の第一の本体部の先端の裏側面と前記第２板バネ部材の第二の本体部の先端の正面側面とが接合されている箇所、及び前記第２板バネ部材の第一の本体部の基端と第二の本体部の基端とが直交している箇所にそれぞれ表裏方向に貫通する孔が一個形成されており、前記上下２本の紐は前記左右一対のクリップにおける前記４個の孔をそれぞれ順に通って、前記頭部の左右両側に止着された前記左右一対のクリップ同士を互いに後頭部側に引き寄せた状態で保持する顔のしわ矯正具を提供する。
【００１５】
この構成によれば、紐の一端部側を一方側のクリップの各孔を順に通した後、他方のクリップの各孔を順に通して再び一方側のクリップ側に戻し、該紐の一端側と他端側とを互いに連結して輪状に形成し、左右一対のクリップ間に上下２本の紐部が平行に配設された状態で取付けられる。
【発明の効果】
【００１６】
請求項１記載の発明は、左右一対のクリップを非クリップ状態にし、この非クリツプ状態で装着者の頭に当て、第１板バネ部材の第二の本体部及び第２板バネ部材の第二の本体部を前記装着者の頭の方向へ向かって押すことによりクリツプ状態とし、装着者の毛髪が止着される。
【００１７】
斯くして、頭部の左右のこめかみ部分に近い毛髪が左右のクリツプと紐によって後頭部側に引き寄せられ、これによって顔の皮膚の弛みがリフトアップして小顔に、且つ、目尻や目隈、口角付近のしわが無くなるように簡単に矯正して、ハリを取り戻した顔に若返させることができる。
又、後頭部側に通された紐及びこめかみ部分に近い毛髪に止着された左右一対のクリップは自身の毛髪で覆って隠すことにより、他人に知られることはない。
【００１８】
また、人体にメスを入れる、あるいは、レーザーを照射する等、人体に危害の恐れがあるような方法を講じないので、誰でも安心して抵抗なく使用することができる。
【００１９】
請求項２記載の発明は、調整部材を利用して後から紐の長さを各人に合った長さに簡単に調整することができるので、頭の大きさ等に拘わらず、誰でも同じ矯正具を使用することができ、かつ、構成も極めて簡素であり、請求項１記載の発明の効果に加えて、コストダウンにも寄与することが可能となる。また、紐の長さを調整することにより、１対のクリップ同士の引き寄せ力も調整することができるので、装着時の操作性が向上する。
【００２０】
請求項３記載の発明は、紐の弾性伸縮力を付加した状態で１対のクリップ同士を互いに後頭部側に引き寄せて装着することができるので、その引き寄せ力は紐の伸縮弾性力で常に同じ状態に保持され、リフトアップ力が低下することはない。したがって、請求項１または２記載の発明の効果に加えて、長時間にわたって同じ状態の矯正を維持することができるという効果が得られる。
【００２１】
請求項４記載の発明は、左右１対のクリップを上下２本の紐で安定して引き寄せできることができるので、請求項１，２または３記載の発明の効果に加えて、頭によりフィットし、安定した状態で装着できるという効果が得られる。
【００２２】
請求項５記載の発明は、紐の一端部側を一方側のクリップの孔を仮に通した後、他方のクリップの孔を順に通して再び一方側のクリップ側に戻し、該紐の一端側と他端側とを互いに連結して輪状に形成し、左右一対のクリップ間に上下２本の紐部が平行に配設された状態で取付けられる。斯くして、該紐によってこめかみ部分に近い毛髪に止着された左右のクリップが後頭部へ引き寄せられることができる。
【発明を実施するための最良の形態】
【００２３】
高額な費用を必要とせずに、個人において手軽で簡単に小顔にでき、また、目尻や目隈、口角付近等におけるしわを矯正し、ハリを取り戻して顔を若返らせるという目的を達成するために、装着者の頭部の左右こめかみ部分に近い毛髪を挟持し該頭部の左右両側に取り外し可能に止着される左右一対のクリップと、該頭部の後頭部に沿って装着され、前記頭部の左右両側に止着された前記一対のクリップ同士を互いに後頭部側に引き寄せた状態で保持する紐とから構成される顔のしわ矯正具であって、前記左右一対のクリップはそれぞれ板バネである第１板バネ部材及び当該第１板バネ部材と一体化されている第２板バネ部材とからなり、前記第１板バネ部材は、第１板バネ部材の第一の本体部の基端と、第１板バネ部材の第二の本体部の基端とが直交し、正面視で略Ｌ字状になるように形成されている第１板バネ部材の本体部を備えており、前記第２板バネ部材は、第２板バネ部材の第一の本体部の基端と、第２板バネ部材の第二の本体部の基端とが直交し、正面視で略Ｌ字状になるように形成されている第２板バネ部材の本体部を備えており、前記第１板バネ部材の第一の本体部と、前記第２板バネ部材の第一の本体部とがそれぞれ左右方向に延び、前記第１板バネ部材の第二の本体部と、前記第２板バネ部材の第二の本体部とがそれぞれ当該左右方向に直交する方向に延びる状態で、前記第１板バネ部材の第二の本体部の先端の裏側面と前記第２板バネ部材の第一の本体部の先端の正面側面、前記第１板バネ部材の第一の本体部の先端の裏側面と前記第２板バネ部材の第二の本体部の先端の正面側面をそれぞれ接合することによって前記第１板バネ部材と前記第２板バネ部材とが一体化されており、前記第１板バネ部材は、前記第１板バネ部材の第一の本体部側を基端とし、先端が前記第１板バネ部材の第一の本体部から第２板バネ部材の第一の本体部側に向かって延びる複数本の櫛歯を更に備えており、当該櫛歯の先端部は、第２板バネ部材の第一の本体部から離れる正面側方向に向かって段差を設けて途中から折り曲げられ、クリップ部として構成され、前記第２板バネ部材の第一の本体部は、前記第１板バネ部材のクリップ部の正面側において前記第１板バネ部材のクリップ部を左右に横切る形で配設され、非クリップ状態では、前記第１板バネ部材の第一の本体部と、前記第２板バネ部材の第一の本体部とがそれぞれ裏面側方向に向かって膨出するように湾曲し、前記第１板バネ部材の櫛歯先端部のクリップ部裏側面と、前記第２板バネ部材の第一の本体部の正面側面との間が所定間隔離れた状態で対峙し、前記左右一対のクリップの前記裏面側方向に向かって膨出するように湾曲している前記第１板バネ部材の第一の本体部及び前記第２板バネ部材の第一の本体部の中央部の裏面側を装着者の頭に当て、前記第１板バネ部材の第二の本体部及び前記第２板バネ部材の第二の本体部を前記装着者の頭の方向に向かって押すことによりクリップ状態となり、前記第１板バネ部材の第一の本体部及び前記第２板バネ部材の第一の本体部の各中央部が正面側方向に向けて膨出するように反転変形し、前記第１板バネ部材の櫛歯先端部のクリップ部と前記第２板バネ部材の第一の本体部との間に前記装着者の毛髪がクリップされ、これによって前記左右一対のクリップが前記装着者の毛髪に止着される顔のしわ矯正具を提供することによって実現した。
【実施例】
【００２４】
以下、本発明の顔のしわ矯正具について、好適な実施例をあげて説明する。図１は、本発明の一実施の形態に係る顔のしわ矯正具の概略斜視図である。図１において、顔のしわ矯正具１(以下、単に「矯正具１」という)は、左右１対のクリップ２，２と、該左右１対のクリップ２，２を連結している紐３と、該紐３の途中に配設された調整部材４とで構成されている。
【００２５】
前記左右のクリップ２，２は同一部品であり、各クリップ２，２は第１板バネ部材５と該第１板バネ部材５と一体化されている第２板バネ部材６とでなる。該各板バネ部材５，６は、薄いバネ板鋼板から形成されている。該第１板バネ部材５は、正面視で略Ｌ字状に形成された第一の本体部５ａ，第二の本体部５ｂと、該第一の本体部５ａから第２板バネ部材６側に向かって形成された複数本の櫛歯７，７…が設けられている。また、該櫛歯７，７…の先端部は、第２板バネ部材６の表側から離れる方向に段差を設けて途中から折り曲げられ、クリップ部８として構成されている。
【００２６】
一方、前記第２板バネ部材６は、正面視で略Ｌ字状に形成された第一の本体部６ａ，第二の本体部６ｂを備え、第１板バネ部材５の第一の本体部５ａと第一の本体部６ａの向き、及び、第１板バネ部材５の第二の本体部５ｂと第二の本体部６ｂの向きをそれぞれ一致させた状態で、第２板バネ部材６の両端部を第１板バネ部材５の両端裏側に溶接等で接合し、第１板バネ部材６と一体化されている。
【００２７】
また、前記第１板バネ部材５と前記第２板バネ部材６が一体化された状態では、第２板バネ部材６の第一の本体部６ａは、第１板バネ部材６のクリップ部８を左右に横切った形で配設されている。さらに、クリップ２，２の各四隅には、表裏方向に貫通している孔９ａ，９ｂ，９ｃ，９ｄが各々設けられている。
【００２８】
そして、前記第１板バネ部材５と前記第２板バネ部材６は、弾性変形を起こさせる前の状態(図１の状態)では、第一の本体部５ａ，６ａにおける表面側(本例では装着者の頭内側)の中央部が前方(装着者の頭内側)に向かって膨出するような形状に湾曲して形成されているとともに、第１板バネ部材５のクリップ部８と第２板バネ部材６の第一の本体部６ａとが所定間隔離れた状態で対峙した形態(これを「非クリップ状態」という)になるように構成されている。
【００２９】
他方、前記第１，第２板バネ部材５，６における第一の本体部５ａ，６ａの中央部を装着者の頭に当て、さらに該第１，第２板バネ部材５，６の第二の本体部５ｂ，６ｂをそれぞれ装着者の頭部内側方向に向かって押すと、該第一の本体部５ａ，６ａの各中央部が各々裏面側(本例で装着者の頭外側)に向けて膨出するように反転変形し、第１板バネ部材５のクリップ部８と第２板バネ部材６の第一の本体部６ａとが互いに圧接状態(これを「クリップ状態」という)となり、その姿勢が維持できるようにされている。
【００３０】
したがって、前記クリップ２，２は、前記非クリップ状態で第１板バネ部材５のクリップ部８と第２板バネ部材６の第一の本体部６ａとの間に毛髪を挟み、次いで前記第１板バネ部材５の第二の本体部５ｂと前記第２板バネ部材６の第二の本体部６ｂを表側である装着者の頭側に向けて押し付けると、該第二の本体部５ｂと第二の本体部６ｂが各々反転し、第１板バネ部材５のクリップ部８と第２板バネ部材６の第一の本体部６ａとの間に毛髪がクリップされ、これによってクリップ２，２が毛髪に止着できるようになっている。
【００３１】
前記紐３は、弾性伸縮可能な紐であり、本例ではゴムを使用している。前記調整部材４は、プラスチック等で形成された板状材で、左右両側部にそれぞれ４つの孔(１０Ａ，１
０Ｂ，１０Ｃ，１０Ｄ)、(１０ａ，１０ｂ，１０ｃ，１０ｄ)が形成されている。
【００３２】
そして、紐３は、図１に示すように、該紐３の一端部側を一方側のクリップ２の孔９ｄ，９ｃ，９ｂ，９ａを順に通して調整部材４側に引き出した後、該調整部材４の孔１０Ａ，１０Ｂ，１０Ｃ，１０Ｄ、他方側のクリップの孔９ａ，９ｂ，９ｃ，９ｄ、調整部材４の孔１０ｄ，１０ｃ，１０ｂ，１０ａを通って再び一方側のクリップ２側に戻り、該紐３の一端部側と他端部側とを互いに連結して輪状に形成され、左右１対のクリップ２，２間に２本の紐部３ａ，３ｂが平行に配設された状態で取り付けられている。また、クリップ２，２間に配設されている紐部３ａ，３ｂの長さは、調整部材４の孔１０Ｂと１０Ｃとの間、及び、孔１０ｂと１０ｃとの間に配置されている紐部３ａ，３ｂの１部３ｃ，３ｃをそれぞれ引き出すことにより調整可能になっている。
【００３３】
次に、このように構成されている矯正具１の使用例を次に説明する。まず、矯正を必要とする人の左右のこめかみ部分と近い毛髪に、左右一方のクリップ２を前記クリップ状態にして止着する。次いで、紐３を後頭部側に回し、他方のクリップ２を、反対側のこめかみ部分と近い毛髪に、同じくクリップ状態にして止着する。このとき、１対のクリップ２，２の間を毛髪と共に引き寄せ、この引き寄せで顔の皮膚も後頭部側へ同時に引っ張り、皮膚の弛みをリフトアップした状態にする。このクリップ２，２の取付位置、及び、該クリップ２，２による引き寄せ方向は、皮膚の弛みをリフトアップするのに最も有効と思われる位置、及び、向きが選択され、その位置にクリップ２，２、及び、紐３を配設する。これにより、それまで生じていた目尻や目隈、口角付近のしわ等が矯正されて無くなり、小顔になると共にハリを取り戻して顔を若返らせることができる。
【００３４】
なお、図５は、本発明の矯正具１を使用する前における人の頭部を示し、使用していないときには、顔の目尻や目隈、口角付近にしわや弛みが生じている状態を示している。
【００３５】
図２〜４は本発明の矯正具１を使用している状態での人の頭部を示し、矯正具１を使用することによって頭部の左右のこめかみ部分に近い毛髪が左右のクリップ２，２と紐３によって後頭部側に引き寄せられ、これによって顔の皮膚の弛みがリフトアップされて目尻や目隈、口角付近のしわ等が矯正されてなくなっている状態を示している。なお、後頭部側に通された紐３、及び、こめかみ部分に近い毛髪に止着されたクリップ２，２は、矯正具１の装着後、自身の毛髪で覆って隠すことにより、他人に知られることはない。
【００３６】
また、左右のクリップ２，２の間を引き寄せる力を付与する方法としては、まず左右のクリップ２，２を左右のこめかみに近い毛髪に止着した後、調整部材４において、該調整部材４の孔１０Ｂと１０Ｃとの間、及び、孔１０ｂと１０ｃとの間に配置されている紐部３ａ，３ｂの１部３ｃ，３ｃをそれぞれ引き出し、紐部３ａ，３ｂの実効長さを調整して引き寄せ力を生成するようにしてもよい。
【００３７】
さらに、調整部材４は、必ずしも必要とするものではない。また、クリップ２も上記実施例の構造に限定せられるべきではなく、毛髪に止着できるものであれば、これ以外のものを採択してもよい。
【００３８】
また、本発明は、その他の部分も本発明の精神を逸脱しない限り種々の改変を為すことができ、そして、本発明が該改変されたものに及ぶことは当然である。
【図面の簡単な説明】
【００３９】
【図１】本発明の一実施形態に係る顔のしわ矯正具の概略斜視図。
【図２】本矯正具の使用状態を示す正面図。
【図３】本矯正具の使用状態を示す側面図。
【図４】本矯正具の使用状態を示す後面図。
【図５】本矯正具を使用していない状態を示す正面図。
【符号の説明】
【００４０】
１          矯正具
２          クリップ
３          紐
３ａ，３ｂ  紐部
３ｃ        紐の１部
４          調整部材
５          第１板バネ部材
５ａ        第一の本体部
５ｂ        第二の本体部
６          第２板バネ部材
６ａ        第一の本体部
６ｂ        第二の本体部
７          櫛歯
８          クリップ部
９ａ，９ｂ，９ｃ，９ｄ  孔
１０Ａ，１０Ｂ，１０Ｃ，１０Ｄ  孔
１０ａ，１０ｂ，１０ｃ，１０ｄ  孔